(57)【要約】      （修正有）【課題】屋外で使用するランプであって、ホヤを設けなくても、風の影響にて炎が消えにくいオイルランプの提供。【解決手段】オイルランプ１は、上端に開口２０１を有する有底のオイル容器２と、オイル容器２の開口２０１に取り付けられる口金３とを備え、口金本体５の上面５１には、周壁を残して中央の大部分を除去することにより、底面が略球面となる上窪み部７が形成され、口金本体５には、上窪み部７と下窪み部８とに開口する二つの芯挿通孔１０，１０が、上窪み部７の中心７１を挟んで対称位置に、近接して形成され、灯芯４が、各芯挿通孔１０に差し込まれて、口金３に保持される。【選択図】図１
0003141958.tif 000002
【実用新案登録請求の範囲】
【請求項１】
上端に開口を有する有底のオイル容器と、このオイル容器の前記開口に取り付けられる口金とを備え、
前記口金は、円柱状の口金本体と、この口金本体の下端部外周面に着脱可能に装着され、径方向外方へ延出して前記オイル容器の開口を覆う取付座とからなり、前記口金本体の上面には、上面周壁を残して中央の大部分を除去することにより、深さが直径の２５〜３５％となる円形の上窪み部が形成され、前記上窪み部内に、前記上窪み部の半径より僅かに小さい直径を有する二つの芯挿通孔が、前記上窪み部の中心を挟んで対称位置に、１ｍｍ以下に近接して形成され、
前記芯挿通孔それぞれに灯芯が挿通されて前記口金に保持されてなる
ことを特徴とするオイルランプ。
【考案の詳細な説明】
【技術分野】
【０００１】
本考案は、内部に液体燃料を貯留し、芯材に炎を灯すオイルランプに関するものである。
【背景技術】
【０００２】
オイルランプを屋外で使用する場合には、通常、ホヤが用いられる。オイルランプは、ホヤを設けることで、灯された炎が横風を受けなくなるので、その横風にて炎が消えることなく安定して使用できる。
【考案の開示】
【考案が解決しようとする課題】
【０００３】
しかしながら、オイルランプを屋外で使用する場合でも、屋外パーティーなどにおいて炎のゆらぎを楽しむことなどのデザイン性の観点から、ホヤを設けないことが望まれる場合がある。しかし、ホヤがないと、少し強い風によっても簡単に炎が消える、という問題がある。
【０００４】
本考案が解決しようとする課題は、屋外で使用するランプであって、ホヤを設けなくても、風の影響にて炎が消えにくいオイルランプを提供することにある。
【課題を解決するための手段】
【０００５】
本考案は、前記課題を解決するためになされたもので、請求項１に記載の考案は、上端に開口を有する有底のオイル容器と、このオイル容器の前記開口に取り付けられる口金とを備え、前記口金は、円柱状の口金本体と、この口金本体の下端部外周面に着脱可能に装着され、径方向外方へ延出して前記オイル容器の開口を覆う取付座とからなり、前記口金本体の上面には、上面周壁を残して中央の大部分を除去することにより、深さが直径の２５〜３５％となる円形の上窪み部が形成され、前記上窪み部内に、前記上窪み部の半径より僅かに小さい直径を有する二つの芯挿通孔が、前記上窪み部の中心を挟んで対称位置に、１ｍｍ以下に近接して形成され、前記芯挿通孔それぞれに灯芯が挿通されて前記口金に保持されてなることを特徴とするオイルランプである。
【考案の効果】
【０００６】
本考案は以上の構成を有していることにより、オイル容器の開口が見えないよう被覆されて装飾性に優れ、しかもオイル交換あるいは口金の清掃などの際には操作性がよく、さらに口金内に装着される灯芯が外部からほとんど見えず、かつ、灯芯につけられた炎は十分外部から視認できて装飾性を高めるものであり、さらに、屋外での使用に際し風が吹いても消え難いものであるなどの効果を有するものである。
【考案を実施するための最良の形態】
【０００７】
以下、本考案のオイルランプについて、実施例に基づきさらに詳細に説明する。
【０００８】
図１および図２は、本考案のオイルランプの一実施例を示す図であり、図１は縦断面図、図２は灯芯を省略した分解斜視図である。図３から図６は、口金を示す図であり、図３は平面図、図４は底面図、図５は縦断面図、図６は斜視図である。本実施例のオイルランプ１は、有底のガラス製のオイル容器２と、このオイル容器２上端の開口２０１に取り付けられる口金３と、この口金３に保持される二本の灯芯４，４とを備える。図１に示すように、オイル容器２内には、燃料が貯留されるが、この燃料は、パラフィンオイルが好適に使用される。
【０００９】
口金３は真鍮製とされ、円柱状の口金本体５と、この口金本体５に着脱可能に装着される取付座６とを備える。
【００１０】
口金本体５の上面５１には、上面周壁４１を残して中央の大部分を除去することにより上窪み部７が形成される。口金本体５の下端面５２には、下面周壁４２を残して中央の大部分を除去することにより下窪み部８が形成される。上窪み部７は、平面視円形で下方へ凹んで形成されており、その下端部は下方へ行くに従って縮径され、底面が略球面状に形成されている。上窪み部７の底面には、凹部９が形成されている。上窪み部７の深さａは、上窪み部７の直径ｂの２５〜３５％であるのが好ましく、より好ましくは２８〜３２％がよい。下限値より深さａが浅くなると、屋外における使用において風の影響で消え易くなり、上限値よりも深くなると、炎が口金３内に隠れて装飾性に劣る。下窪み部８は、底面視円形であり、内側角部８１が面取りされている。
【００１１】
口金本体５には、上窪み部７と下窪み部８とに開口する芯挿通孔１０が二箇所に形成されている。二つの芯挿通孔１０，１０は、同一形状とされ、上窪み部７の半径ｃより僅かに小さい直径ｄを有しており、上窪み部７の中心７１を挟んで対称位置に形成されている。二つの芯挿通孔１０，１０間の内、最も近接した箇所の距離ｆは１ｍｍ以下とされるのが好ましく、これより大きくなると、屋外における使用に際して風の影響で炎が消え易くなる。
【００１２】
口金本体５の下端の下面周壁４２の外面には、縮径して円筒状の段付き部１１が形成されており、その縮径部５４の外周面には、雄ネジ１２が形成されている。
【００１３】
取付座６は、口金本体５に取り付けられるようになっており、径方向外側へ水平に延出する円板状の上壁６１が形成されると共に、上壁６１の外周が下方に屈曲して円形の環状屈曲部６６が形成されている。上壁６１の中央部には、口金本体５を取り付ける取付穴１３が上下方向へ貫通して形成されている。図示例では、取付穴１３の内面には雌ネジ１３１が形成され、雄ネジ１２と螺合可能とされている。取付座６は、その下端面６２と内周面６３との角部に丸みがつけられている。
【００１４】
このような構成の取付座６は、口金本体５の下端部外周面から径方向外側へ延出するように設けられる。すなわち、取付穴１３に口金本体５の下端部をねじ込むことで、取付座６の上壁６１に口金本体５が立設される。その際、口金本体５下端部の段付き部１１と取付座６の上壁６１の上面６４とが当接するまでねじ込まれ、口金本体５の下端面５２は、取付座６の上壁６１の下面６５よりも下方に臨出する。このようにして、口金３が構成される。この口金３は、口金本体５と取付座６とがねじで着脱可能であるので、清掃などをする際に容易に分解できる。
【００１５】
このような構成の口金３は、オイル容器２の開口２０１を覆うようにして、取付座６の下端面６２がオイル容器２の上部に保持されて載せ置かれる。オイル容器２の開口２０１は、円筒状に上方へ向けて形成されており、口金３を載せ置いたとき取付座６内に隠れるように配置されている。また、口金３を載せ置いた状態では、口金本体５は、オイル容器２の開口２０１の上方において、その開口２０１と同軸状に配置される。
【００１６】
口金３は、オイル容器２に載せ置かれているので、オイル交換などを行う際にはオイル容器２から容易に口金３を取り外すことができる。また、口金３をオイル容器２に載せ置いた状態では、口金３がオイル容器２の開口２０１を被覆するので、その開口２０１を外部から見えないようにでき、装飾性を損なうことがない。
【００１７】
１４はオイル容器２の上部に被せられるカバー部材であって、カバー材１４は、平面視円形で、下方へ開口したドーム状であり、偏平な上壁の中央部に貫通穴１５が形成されている。カバー材１４は金属製であり、オイル容器２に載せ置いた状態で、口金３をオイル容器２に載せ置く場合に、口金３は、その取付座６がカバー材１４の貫通穴１５を介して、オイル容器２に載せ置かれる。
【００１８】
灯芯４は二本共、一端部が口金本体５に形成された芯挿通孔１０に差し込まれて、口金３に保持される。灯芯４は、口金本体５の上面５１からわずかに出る程度に芯挿通孔１０から上方へ出している。これにより、灯芯４の燃焼部（芯挿通孔１０から上の露出部）の大部分は、上窪み部７内に収容され、屋外での使用の場合にも風によって消えることが少なく持続的に使用できるものであった。
【００１９】
しかも口金３に保持される灯芯４は、その燃焼部のほとんどが上窪み部７内に収容されるので、灯芯４は見えないが、灯される炎は主に口金３の上端より上において燃焼するので外部から十分に視認できる。従って、本実施例のオイルランプ１は、装飾性の高いものとなる。口金３には灯芯４を保持しており、口金３がオイル容器２に載せ置かれる。灯芯４は、口金３に保持されると共に、オイル容器２内に収容される。灯芯４の他端部は、オイル容器２の底面２１に接触している。これにより、燃料を確実に燃焼部へ供給できる。なお灯芯４は、グラスファイバーなどの耐熱性及び親油性を有する繊維からなるものが好適に使用される。
【００２０】
本考案のオイルランプ１は、屋内だけでなく屋外において好適に使用することができるもので、このオイルランプ１は、屋外で使用した場合には、炎が消えにくく、安定して使用することができるものである。すなわち、本考案のオイルランプ１は、灯芯４の燃焼部のほとんどが上窪み部７内に収容された構成とされており、このように構成したことで、オイルランプ１を屋外で使用した場合にも、炎の根元部分への横風を抑制できるのであり、さらに、本考案のオイルランプ１は、上窪み部７内に燃焼部のほとんどが収容される灯芯４を二本備えているので、二本の灯芯４，４の内、一本の灯芯４の炎が消えた場合にも、その灯芯４に他の灯芯４からの炎が移されるので、炎は元の状態に戻される。
【００２１】
さらにまた、本考案のオイルランプ１は、口金本体５の上面５１に上窪み部７が形成されると共に、口金本体５に形成される二つの芯挿通孔１０，１０間が１ｍｍ以下に近接して形成されているので、風による炎が消えることなく持続効果を高め、しかも、燃焼しなかった油が口金本体５の外周面をぬらすことが少なく、また、口金本体５は、その上下長さｅを上窪み部７の深さａよりも三倍以上長く形成されている場合には、オイルランプ１の使用時に、オイル容器２への伝熱を抑制できる。
【００２２】
本考案のオイルランプは、前記実施例の構成に限らず、その要旨を変更しない範囲において適宜設計変更可能である。
【図面の簡単な説明】
【００２３】
【図１】本考案のオイルランプの一実施例を示す縦断面図である。
【図２】図１の分解斜視図であり、灯芯を省略した状態を示している。
【図３】図１の口金の平面図である。
【図４】図１の口金の底面図である。
【図５】図１の口金の縦断面図である。
【図６】図１の口金の斜視図である。
【符号の説明】
【００２４】
１  オイルランプ
２  オイル容器
３  口金
４  灯芯
５  口金本体
６  取付座
７  上窪み部
８  下窪み部
１０  芯挿通孔
【図１】
0003141958.tif 000003
【図２】
0003141958.tif 000004
【図３】
0003141958.tif 000005
【図４】
0003141958.tif 000006
【図５】
0003141958.tif 000007
【図６】
0003141958.tif 000008